(57)【要約】本発明は、指又は器具の外側に装着されて口腔の内部をクリーニングする口腔クリーニング用のクリーニングサックに関し、クリーニングサックは、扁平な層状構造であり、多層シート状織物からなるサック本体（１）と単層シート状織物からなる握持部（２）とを備え、サック本体（１）は、作動層（１１）及びサック層（１２）を備え、作動層（１１）及びサック層（１２）は、クリーニングサックの上端にヘッド部（１３）を形成し、握持部（２）は作動層（１１）に連続して延設されている。クリーニングサックは、１枚の分解性不織布を折り畳んで両側を超音波で粘着してなるものであり、付加の縫製、接続などの加工工程を必要としないため、量産が実施されやすく、コストが低く、日常生活に一般的な消費者が低価で購入して使い捨てものとして使用することに適しており、提供される分解性不織布の熱粘着効果及び保水性がバランスを取る。【選択図】図３
2021500195.tif 000002
【特許請求の範囲】
【請求項１】
指又は器具の外側に装着されて口腔の内部をクリーニングする口腔クリーニング用のクリ
ーニングサックであって、
扁平な層状構造であり、多層シート状織物からなるサック本体（１）と単層シート状織物
からなる握持部（２）とを備え、前記多層シート状織物からなるサック本体（１）は作動
層（１１）及びサック層（１２）を備え、前記作動層（１１）及びサック層（１２）は、
前記クリーニングサックの上端にヘッド部（１３）を形成し、前記クリーニングサックの
両側に第１側辺（１４）と第２側辺（１５）を形成し、前記作動層（１１）及びサック層
（１２）は、それぞれ前記ヘッド部（１３）及び前記第１側辺（１４）と第２側辺（１５
）で接続されて挿入口（２０）を有するサック状構造となり、前記握持部（２）は前記作
動層（１１）に連続して延設されている、
ことを特徴とする口腔クリーニング用のクリーニングサック。
【請求項２】
包装状態では、前記握持部（２）は、折り畳まれて前記作動層（１１）を覆ってその表面
を保護し、使用状態では、前記握持部（２）は、前記作動層（１１）を覆った状態から展
開して指又は器具から抜けないように前記クリーニングサックを固定することができる、
ことを特徴とする請求項１に記載のクリーニングサック。
【請求項３】
前記作動層（１１）及びサック層（１２）は、同一の織物を折り畳んでなり、前記作動層
（１１）及びサック層（１２）は、前記クリーニングサックの上端に継ぎ目のないヘッド
部（１３）を形成し、前記クリーニングサックの両側に接合シーム（３０）のある第１側
辺（１４）及び第２側辺（１５）を形成する、
ことを特徴とする請求項１又は２に記載のクリーニングサック。
【請求項４】
前記クリーニングサックは、ポリ乳酸繊維とビスコース繊維を混紡した不織布である分解
性不織布を１枚折り畳んだものの両側を超音波で粘着してなる、
ことを特徴とする請求項１−３のいずれか１項に記載のクリーニングサック。
【請求項５】
前記分解性不織布を構成するポリ乳酸繊維とビスコース繊維との質量比の範囲が、（８０
〜２０）：（２０〜８０）である、
ことを特徴とする請求項４に記載のクリーニングサック。
【請求項６】
前記分解性不織布の重量は、好ましくは、４０−１５０ｇ／ｍ２であり、好ましくは、前
記不織布は１０−３０メッシュであり、好ましくは、前記不織布のウェブ形成方式には、
セミクロス又はフルクロスラッピング方式が使用される、
ことを特徴とする請求項４に記載のクリーニングサック。
【請求項７】
前記握持部（２）には、固定を容易にする開口（２１）が設けられる、
ことを特徴とする請求項１−６のいずれか１項に記載のクリーニングサック。
【請求項８】
前記サック層（１２）は、前記クリーニングサックのヘッド部（１３）に対向する挿入辺
（１２１）を有し、前記挿入辺（１２１）には、挿入を容易にする挿入構造が設けられる
、
ことを特徴とする請求項１−７のいずれか１項に記載のクリーニングサック。
【請求項９】
前記クリーニングサックのヘッド部（１３）の両側のいずれのコーナーにも面取り角が形
成され、前記クリーニングサックのヘッド部（１３）の、操作されやすい作動位置に対応
する一方側の面取り角が、他方側の面取り角よりも大きい、
ことを特徴とする請求項１に記載のクリーニングサック。
【請求項１０】
前記握持部（２）の末端の両側のコーナーには、対応する前記クリーニングサックのヘッ
ド部（１３）の対応する側の面取り角と完全に同じ末端面取り角（２２）が形成されてい
る、
ことを特徴とする請求項９に記載のクリーニングサック。
【発明の詳細な説明】
【技術分野】
【０００１】
本発明は、口腔クリーニング用器具に関し、特に口腔の内部の舌苔、歯茎、唇の内側、上
下顎などの部位をクリーニングできるクリーニングサックに関する。
【背景技術】
【０００２】
多くの人々は、公共の場所で他の人とコミュニケーションをとるとき、口臭のために恥ず
かしいことがある。口腔は消化管の始まりであり、気道と連通しているため、消化器系や
呼吸器系の一部の疾患も口臭を引き起こす可能性があり、たとえば消化器機能障害、胃腸
炎、下痢、便秘などの患者は、程度が異なるが、口臭を発症することがある。気管支拡張
症や肺感染症の患者も口臭を発症する可能性がある。また、糖尿病などの内分泌疾患の患
者の口腔には、腐ったリンゴの匂いがする場合がある。口臭は疾患の兆候である可能性が
あり、また、食事に辛い食べ物を食べたり、アルコールやコーヒーなどを飲んだりすると
、口臭を引き起こすことがある。口臭は、食欲だけでなく、気分やソーシャルにも影響を
与える。うがい薬の使用は口臭の予防に一定の効果があるが、それは短期的にのみ有効で
あり、さらにアルコールを含むうがい薬は口臭を悪化させる。
【０００３】
研究によれば、口臭のほとんどは口腔内の細菌が原因であり、口腔では、舌根部、舌下、
歯茎、唇の内側、上下顎などの部位に細菌が隠されやすいのに加えて、舌苔には多くの細
菌があり、その一部は病原菌で、口臭を引き起こすことに加えて、口内炎又は歯周炎も引
き起こす可能性がある。
【０００４】
通常、人々は毎日歯を磨き、口腔内の細菌の大部分を歯ブラシやうがい薬で取り除き、息
をフラッシュに保持することができる。しかし、ほとんどの人は口腔に隠れている細菌の
問題に気づいておらず、例えば、定期的に舌苔や唇の内側などの部位をクリーニングする
人はほとんどない。一部の人は、歯を磨くとき、歯ブラシを用いて、舌苔、舌下部分や上
下顎などをクリーニングするが、歯ブラシの荒い毛は一般に、舌苔などの口腔における柔
らかい部位に対しては硬すぎて、また、大きすぎる力を印加することでこれら部位を傷つ
けることもあり、場合によって、悪心や吐き気を引き起こし、ひどい不快さを感じさせる
可能性もある。
【０００５】
従来技術では、乳児用のクリーニング指サックがあり、それらは通常プラスチック又はシ
リコンで製造されており、コストが高く、口腔クリーニング用使い捨て製品として適して
いない。例えば、ＣＮ  １０３５９８７２２  Ａは、シリコン製クリーニングサック構造
とされている乳児用歯ブラシを開示しており、クリーニングサックの一側面には毛があり
、反対側面にはシリコン製突起がある。また、ＣＮ  ２０６０６２５０９  Ｕは、軟質シ
リコン製の円筒形ブラシカバーを備える口腔ブラシを開示しており、ブラシカバーには、
成人の人差し指に適合する指キャビティが設けられており、ブラシカバーは、一体成形さ
れたブラシカバー本体と、ブラシカバー本体の末端に位置する固定部と、ブラシカバー本
体の前部に位置する円弧部とから構成される。固定部の外面には噛み込み防止スリーブが
設けられ、歯をブラッシングするための毛及び舌苔をマッサージするための舌苔マッサー
ジ凸起がブラシカバー本体の外面に設けられる。上記の既存のクリーニング指サックは、
本質的には、舌苔をクリーニングするための複雑な構造を備えている歯ブラシであり、生
産コストが高く、一般の人々の日常使用のために普及することは困難である。
【０００６】
ＣＮ  ２０６２１４２１８  Ｕは、医療用ガーゼで製造されたクリーニングサック本体を
備える乳児用のクリーニングサック式ブラシを開示しており、使用する際に、指に装着し
て少量の水をつけて口腔に入れてクリーニングする。従来技術の該クリーニングサックは
、使用する時に指に装着されるクリーニングサック本体を備え、クリーニングサック本体
は医療用ガーゼで製造されるものであるが、綿布や不織布も使用でき、クリーニングサッ
ク本体の底部縁には、指の基部にしっかりと結合するために弾性的に締め付けられ得る収
束構造が設けられ、クリーニングサック本体の内側には、シールの役割を果たすことがで
きるシリコン層も設けられており、前記クリーニングサック本体の底部の一側には、指輪
が設けられており、前記指輪は、クリーニングサック本体を装着した指に隣接する指に通
すために使用され、前記指輪は弾性バンドで製造されている。使用する前に、クリーニン
グサック本体を人差し指に装着し、対応する指輪を中指に装着して固定して、使用する時
にクリーニングサックに少量の水をつけて、シリコンカバーの設置により、水がクリーニ
ングサック本体の内側に入り込むことを防止し、乳児の口に入れて、乳児の舌苔、歯茎や
乳歯をクリーニングサック本体で簡単かつ便利にクリーニングすることができ、指輪は、
クリーニングプロセスに指カサック本体が中指から脱落するのを防ぎ、また、クリーニン
グ終了後には、どこかにかけて保管に使用できる。
【０００７】
従来技術の前述の説明から、このような従来技術のクリーニングサック式ブラシは、縫製
などの加工工程を用いてその構造の形状を作る必要があるため、量産化や機械化が困難で
あり、コストが高いため、保管して再利用する必要があるが、家庭環境では殺菌消毒が困
難であるため、潜在的な安全性のリスクが大きく、使い捨て製品としての高速消費には使
用できず、使用する材料には分解しにくいシリコンとエラストマーが含まれるため、使い
捨て製品として使用されると、環境により有害であり、前記のように、構造が複雑で、処
理が難しく、コストが高く、さらに分解することさえできず、したがって、一般的な消費
者の日常の安全な使用には適していない。
【発明の概要】
【発明が解決しようとする課題】
【０００８】
本発明が解決しようとする技術的課題は、前記の問題を減少又は回避するために、口腔ク
リーニング用のクリーニングサックを提供することである。
【課題を解決するための手段】
【０００９】
上記技術的問題を解決するために、本発明は、指又は器具の外側に装着されて口腔の内部
をクリーニングする口腔クリーニング用のクリーニングサックであって、
扁平な層状構造であり、多層シート状織物からなるサック本体と単層シート状織物からな
る握持部とを備え、前記多層シート状織物からなるサック本体は作動層とサック層を備え
、前記作動層とサック層は前記クリーニングサックの上端にヘッド部を形成し、前記握持
部は前記作動層に連続して延設されている口腔クリーニング用のクリーニングサックを提
供する。
【００１０】
好ましくは、包装状態では、前記握持部は、折り畳まれて前記作動層を覆ってその表面を
保護し、使用状態では、前記握持部は、前記作動層を覆った状態から展開して指又は器具
から抜けないように前記クリーニングサックを固定することができる。
【００１１】
好ましくは、前記作動層及びサック層は、同一の織物を折り畳んでなり、前記作動層及び
サック層は、前記クリーニングサックの上端に継ぎ目のないヘッド部を形成し、前記クリ
ーニングサックの両側に接合シームのある第１側辺及び第２側辺を形成する。
【００１２】
好ましくは、前記クリーニングサックは、ポリ乳酸繊維とビスコース繊維を混紡した不織
布である分解性不織布を１枚折り畳んだものの両側を超音波で粘着してなる。
【００１３】
好ましくは、前記分解性不織布を構成するポリ乳酸繊維とビスコース繊維との質量比の範
囲が、（８０〜２０）：（２０〜８０）である。
【００１４】
好ましくは、前記分解性不織布の重量は、好ましくは、４０−１５０ｇ／ｍ２であり、好
ましくは、前記不織布は１０−３０メッシュであり、好ましくは、前記不織布のウェブ形
成方式には、セミクロス又はフルクロスラッピング方式が使用される。
【００１５】
好ましくは、前記握持部には、固定を容易にする開口が設けられる。
【００１６】
好ましくは、前記サック層は、前記クリーニングサックのヘッド部に対向する挿入辺を有
し、前記挿入辺には、挿入を容易にする挿入構造が設けられる。
【００１７】
好ましくは、前記クリーニングサック的ヘッド部の両側のいずれのコーナーにも面取り角
が形成され、前記クリーニングサックのヘッド部の、操作されやすい作動位置に対応する
一方側の面取り角が、他方側の面取り角よりも大きい。
【００１８】
好ましくは、前記握持部の末端の両側のコーナーには、対応する前記クリーニングサック
のヘッド部の対応する側の面取り角と完全に同じ末端面取り角が形成されている。
【発明の効果】
【００１９】
本発明のクリーニングサックは、１枚の分解性不織布を折り畳んで両側を超音波で粘着し
てなるものであり、付加の縫製、接続などの加工工程を必要としないため、量産が実施さ
れやすく、コストが低く、日常生活に一般的な消費者が低価で購入して使い捨てものとし
て使用することに適している。提供される分解性不織布の熱粘着効果及び保水性がバラン
スを取る。
【００２０】
本発明のクリーニングサックの握持部が作動層に連続して延設されているため、握持部と
作動層を同一のシート状織物で構成することができ、両方を付加の縫製、接続などの工程
により加工することを必要とせず、量産が容易であり、コストが低く、日常生活に一般的
な消費者が低価で購入して使い捨てものとして使用することに適している。
【００２１】
また、本発明のクリーニングサックは、１枚の分解性不織布を折り畳んで両側を超音波で
粘着してなるものであり、付加の縫製、接続などの加工工程を必要としないため、量産が
実施されやすく、コストが低く、日常生活に一般的な消費者が低価で購入して使い捨ても
のとして使用することに適している
【００２２】
また、本発明のクリーニングサックは、１枚の不織布を折り畳んで、それぞれサック本体
の２層構造を形成することができ、２層の布を個別に形成するステップを省略し、一層の
不織布を単に折り畳むだけで２層布となり、また、ヘッド部の結合部位でのダイカットに
よる材料の浪費を回避し、プロセスがシンプルで確実であり、生産性及び生産効率を効果
的に向上させ、また、中間で折り畳むような方式を採用することによって、クリーニング
サックのヘッド部を超音波で粘着して定型する必要がなくなり、加工ロスを減少させると
ともに、超音波による熱粘着プロセスにより上端の隅部が硬いという状況を確実に回避し
、ユーザの使用体験が良好である。
【００２３】
また、本発明のクリーニングサックの握持部は、握持固定機能だけでなく、折り畳まれて
作動層を覆ってその表面を保護することができ、１つの構造に２種の機能を持たせること
で、保護膜又は離型紙を省略し、生産コストを低下させ、生産効率を高め、製品の安全性
及び衛生性を大幅に向上させる。
【図面の簡単な説明】
【００２４】
以下の図面は、本発明を例示的に説明して解釈するために過ぎず、本発明の範囲を限定す
るものではない。
【図１】本発明の一特定実施例による口腔クリーニング用のクリーニングサックの正面模式図を示す。
【図２】図１に示される口腔クリーニング用のクリーニングサックの使用準備状態の模式図を示す。
【図３】図１に示される口腔クリーニング用のクリーニングサックの使用状態の模式図を示す。
【図４】本発明の別の実施例による口腔クリーニング用のクリーニングサックの正面構造模式図を示す。
【図５】さらなる実施例による口腔クリーニング用のクリーニングサックの正面構造模式図を示す。
【図６】図５に示される口腔クリーニング用のクリーニングサックの使用準備状態の模式図を示す。
【図７】さらなる実施例による口腔クリーニング用のクリーニングサックの構造模式図を示す。
【図８】図７に示される口腔クリーニング用のクリーニングサックの使用準備状態の模式図を示す。
【図９】図７に示される口腔クリーニング用のクリーニングサックの使用状態の模式図を示す。
【図１０−１５】本発明のクリーニングサックのさまざまなタイプの挿入を容易にする構造模式図を順次示す。
【図１６】本発明の別の特定実施例による口腔クリーニング用のクリーニングサックの加工模式図を示す。
【図１７】本発明のさらに別の特定実施例による口腔クリーニング用のクリーニングサックの包装状態の模式図を示す。
【図１８】本出願による別のクリーニングサックの構造模式図を示す。
【発明を実施するための形態】
【００２５】
本発明の技術的特徴、目的及び効果をより明瞭に理解するために、以下、図面を参照しな
がら本発明の特定実施形態を説明する。ただし、同じ部材は同じ符号で示される。
【００２６】
前記従来技術に存在する欠点に対して、本発明は、口腔クリーニング用のクリーニングサ
ックを提供し、その基本的な設計構想及び作動原理は、詳細に図１−３に示されており、
図１は、本発明の一特定実施例による口腔クリーニング用のクリーニングサックの正面模
式図を示し、図２は図１に示される口腔クリーニング用のクリーニングサックの使用準備
状態の模式図を示し、図３は、図１に示される口腔クリーニング用のクリーニングサック
の使用状態の模式図を示す。
【００２７】
図１−３に示されるように、本発明の口腔クリーニング用のクリーニングサックは、指又
は器具の外側に装着されて口腔の内部をクリーニングし、たとえば、図２−３に示される
ように、本発明のクリーニングサックは、使用者の使い慣れた指（たとえば右手の人差し
指）に直接装着されて使用するか、又は器具を介して使用することができ、たとえば歯ブ
ラシヘッドに装着されて使用する（図示せず）。基本的な構造に関しては、本発明のクリ
ーニングサックは、クリーニング指サック（指に装着されて使用可能であるため）とも呼
ばれるが、器具（たとえば歯ブラシヘッド）の外側に装着されて使用してもよいため、本
発明のクリーニングサックは、クリーニング指サックの概念を含み、カバーする保護範囲
がクリーニング指サックよりも広い。また、本発明のクリーニングサックは、口腔内部の
舌苔、歯茎、唇の内側、上下顎、舌根部、舌下などの部分をクリーニングすることができ
、歯茎や舌苔のクリーニングに制限されない。
【００２８】
図示するように、本発明のクリーニングサックの一般的な構造は、直観的であり、扁平な
層状構造であり、多層シート状織物からなるサック本体１と単層シート状織物からなる握
持部２とを備え、多層シート状織物からなるサック本体１は、作動層１１とサック層１２
を備え、図１は、平面図であり、観察者に面するのはサック本体１のサック層１２であり
、サック本体１の作動層１１は背面にある。積層された作動層１１及びサック層１２は、
クリーニングサックの上端にヘッド部１３を形成し、クリーニングサックの両側に第１側
辺１４及び第２側辺１５を形成する。作動層１１及びサック層１２は、それぞれヘッド部
１３及び第１側辺１４と第２側辺１５で接続されて挿入口２０を有するサック状構造とな
り、たとえば、作動層１１及びサック層１２が積層された後、第１側辺１４及び第２側辺
１５の位置に、たとえば超音波粘着方式により接合シーム３０（図における点線に示され
る）が形成され、それにより、第１側辺１４と第２側辺１５が一体に接続される。サック
層１２は、クリーニングサックのヘッド部１３に対向する挿入辺１２１を有し、該挿入辺
１２１は、挿入口２０の開口部の縁部となる。具体的な構造は、図２−３に明らかに示さ
れている。
【００２９】
本発明のクリーニングサックの構造では、サック本体１は、指又は器物の外側に装着され
、作動層１１は、クリーニング対象となる部分に対して摩擦してクリーニング操作を行い
、サック層１２は、サック本体１を指及び器物の外側に保持する。握持部２は、使用する
ときに手で固定されて、クリーニングサックが指又は器物から抜けないようにする。たと
えば、図３には、使用者は、握持部２を手のひらに握ることができる。もしくは、サック
本体１を歯ブラシヘッドに装着する場合、使用者は、握持部２及び歯ブラシロッドを両方
ともに手のひらに握る、又は握持部２を歯ブラシロッドに巻き付けて歯ブラシロッドとと
もに手のひらに握ることができ、この場合は、より強固に握持することができる。
【００３０】
本発明の上記構造から分かるように、本発明のクリーニングサックの構造は、従来技術に
比べて、非常に簡単であり、シート状織物を用いて直接加工することができ、たとえば、
図２−３から分かるように、本発明のクリーニングサックの握持部２は、作動層１１に連
続して延設されてもよく、つまり、握持部２及び作動層１１は、同一のシート状織物で製
造され、両方を付加の縫製、接続などの工程により加工することを必要としないため、量
産が容易であり、コストが低く、日常生活に一般的な消費者が低価で購入して使い捨ても
のとして使用することに適している。或いは、握持部２は、握持部２の形状と一致するシ
ート状織物を作動層１１に接続したものとされてもよく、つまり、本実施例におけるサッ
ク本体１及び握持部２は個別に製造され、次に、握持部２は超音波粘着又はほかの固定方
式でサック本体１の作動層１１に接続されるようにしてもよい。つまり、上記２種の実施
例の構造から分かるように、握持部２は、作動層１１に連続して延設されてもよく、個別
の構造として作動層１１に接されてもよく、本出願に制限されるような、握持部２が作動
層１１に連続して延設されていることは、好ましい態様であり、その保護範囲は、握持部
２が限定されない場合の保護範囲とは異なり、保護範囲が重複するという問題がない。
【００３１】
一好ましい実施例では、本発明のクリーニングサックは、分解性不織布で製造することが
でき、前記分解性不織布は、ポリ乳酸繊維のような材料で製造される不織布であってもよ
い。前記クリーニングサックは、液体で浸潤されて使用してもよく、液体で浸潤された後
にはクリーニングサックの摩擦力がより大きくなり、クリーニング効果がより良好である
。本発明では、クリーニングサックを浸潤するための液体は、純水であってもよく、殺菌
、脱臭、抗炎症効果を有するほかの液体であってもよい。勿論、本発明のクリーニングサ
ックは、乾燥状態で販売・使用されてもよいが、この場合、消費者は、購入した後に少量
の浄水をつけてクリーニング操作を行うことができる。液体で浸潤されたクリーニングサ
ックは、より簡便に使用でき、且つその液体により安全性や衛生性を確保することができ
、それは、消費者がクリーニングサックを浸潤可能な浄水を入手できないことがあるため
である。また、本発明では、分解性不織布を用いてクリーニングサックを製造するため、
クリーニングサックが自然に分解可能であり、環境にやさしく、したがって、使い捨て製
品として使用可能である。
【００３２】
本発明の上記クリーニングサックは、シート状の不織布を所望の形状にダイカットし、次
に縁部を超音波で粘着するような方式によりサック本体１を形成することができ、手動縫
製工程を必要とせず、プロセスに亘って量産することができ、且つ生産プロセスには外界
環境から隔離するため、無菌状態で生産することができ、製品の衛生性や安全性が高く、
不織布の使用量が少なく、コストを低く抑えることができ、特に量産や大規模な販売に適
しており、従来技術による類似機能を有する製品は、いずれも生産し易さ、低コスト、生
産の利便性や安全性、使い捨て製品としての適正性を実現できない。
【００３３】
また、本発明では、縫製方式ではなく超音波粘着技術を用いて結合するのは、従来の超音
波粘着技術によれば、より高速で量産することができ、それによって、加工コストを低下
させ、生産性を高め、製品精度を向上させ、全自動生産をより容易化させ、そして品質の
問題を制御しやすく、且つ手動操作を必要としないため、細菌の混入を防止し、衛生性及
び安全性を大幅に向上できるためである。縫合方式の場合、人件費が高く、生産性が低く
、全自動化生産が困難である。
【００３４】
図１−３に示される点線により示される接合シーム３０は、外側から視認できず、それは
、超音波方式で積層された不織布同士を加熱して融着するため、融着された接合シーム３
０が残りの箇所よりも硬くなる以外、外側面から変化が認められない。超音波粘着は、従
来から公知する粘着技術であり、超音波粘着に適した不織布を用いて加工することができ
、材料として熱可塑性材料が要求されるため、ＰＰ（ポリプロピレン）、ＰＥ（ポリエチ
レン）、テリレンなどの熱可塑性材料は好ましい。勿論、環境規制がますます厳しくなり
、そして、テリレンなどの熱可塑性材料の使用により大量の非分解性ゴミが生じることか
ら、分解性材料は好ましい。発明者は、最初に、分解性材料のうちの超音波粘着可能な不
織布を加工し、たとえば、超音波粘着の要件を満たすとともに、自然に分解可能であり、
さらに自体に抗菌制菌成分を含むポリ乳酸繊維を加工している。しかしながら、ポリ乳酸
繊維は、以上の利点を有する反面、その自体には、主に吸水性が悪いため、水分を保持す
ることができないという欠点があり、一方、本発明のクリーニングサックは液体で浸潤さ
れた湿潤条件で使用されるため、優れた保液性が必要であり、よって、ポリ乳酸繊維だけ
で本発明のクリーニングサックを製造すると、本発明のクリーニングサックの使用要件を
満足できない。
【００３５】
したがって、一好ましい実施例では、本発明のクリーニングサックは、ポリ乳酸繊維とビ
スコース繊維を混紡した不織布である１枚の分解性不織布を折り畳んだものの両側を超音
波で粘着してなるものであり、前記クリーニングサックは、液体で浸潤された形態で販売
・使用することができる。
【００３６】
さらに、前記分解性不織布を構成するポリ乳酸繊維とビスコース繊維との質量比の範囲が
、（８０〜２０）：（２０〜８０）である。
【００３７】
つまり、湿潤条件で使用されるという本発明のクリーニングサックの要求を満たすととも
に、分解性、殺菌性、超音波粘着の要求を満たすために、本発明では、単一成分の分解性
繊維を用いて本発明のクリーニングサックの不織布を製造するのではなく、２種の異なる
成分の繊維を用いてセミクロスラッピング方式で不織布を製造するという特定の解決案が
提供されている。織物における本発明の分解性不織布を構成するポリ乳酸繊維の割合が上
昇すると、熱粘着効果がよくなる一方、織物の保水性が劣化し、織物におけるのビスコー
ス繊維の割合が上昇すると、織物の保水性がより良好になるが、熱粘着効果が劣化する。
繰り返して試験したところ、本発明の上記実施例の配合比では、本発明の分解性不織布は
、熱粘着効果と保水性のバランスを取る。
【００３８】
一特定実施例では、本発明の不織布に使用されるポリ乳酸繊維は、浙江海正生物材料股フ
ン有限公司製の型番ＰＬＡ０２のポリ乳酸繊維、ビスコース繊維は、唐山三友集団興達化
繊有限公司製の１．６７ｄｔｅｘ＊３８ｍｍ、高白、セミマット様式のビスコース繊維を
購入できる。勿論、当業者であれば、同一タイプのほかのポリ乳酸繊維やビスコース繊維
を市販品として入手して本発明のクリーニングサック用不織布を製造してもよい。また、
本発明の不織布にはポリ乳酸繊維が使用されているので、製品の抗菌制菌効果を高め製品
の保存期間を延ばすために防腐剤を添加する必要がなく、消費者からの防腐剤の懸念がな
く、製品の消費量を増加できる。
【００３９】
別の特定実施例では、より良好な使用体験を実現し、製品の摩擦性を高め、粘着物や細菌
の除去効果をより良好にするために、本発明は、不織布の製造プロセスをさらに最適化さ
せる。具体的には、ウェブ形成方式によって、材料へさまざまな物性を与えたり、秤量に
応じて製品の使用体験が異なったり、不織布のメッシュが異なると、材料の摩擦性が異な
ったりするため、本発明の不織布は、好ましくは、４０−１５０ｇ／ｍ２、好ましくは、
前記不織布は１０−３０メッシュであり、好ましくは、前記不織布のウェブ形成方式には
、セミクロス又はフルクロスラッピング方式が使用される。
【００４０】
また、図に示される点線により示される接合シーム３０は、超音波方式で積層された不織
布同士を加熱して融着したものであり、融着した接合シーム３０が別の箇所よりも硬くな
る以外、外側面から変化が認められないため、超音波粘着後、隅部が硬くなり、口腔の内
部を摩擦して使用するときに不快さを引き起こすことを回避し、好ましくは、前記接合シ
ーム３０と前記織物の縁部との間には、幅Ｂが０．１〜４ｍｍ（図１参照）の未粘着領域
がある。つまり、超音波で粘着する際に、粘着領域は織物の縁部ではなく、縁部の内側近
くにあり、このため、硬い接合シーム３０の外側には柔軟な部分があり、よって、使用す
るときに硬すぎて刺激を与えることがない。勿論、図１は、簡単な模式図に過ぎず、超音
波粘着の信頼性を確保するために、接合シーム３０自体には一定の幅、たとえば０．５〜
５ｍｍの幅がある。
【００４１】
さらに、本発明は、本発明のクリーニングサックにより良好な使用体験を与えるために、
人間工学に合致した改良をさらに提供し、図４には、本発明の別の実施例による口腔クリ
ーニング用のクリーニングサックの正面構造模式図が示されており、図示したとおり、本
発明のクリーニングサックの作動層１１及びサック層１２は、クリーニングサックの上端
にヘッド部１３を形成し、クリーニングサックのヘッド部１３の両側のいずれのコーナー
にも面取り角が形成され、それによって、従来直角であったコーナー部分による口腔の刺
激を低減させ、ユーザの使用体験をより良好にする。さらに、外観性に優れた曲線形のコ
ーナー外観となるように、握持部２の末端の両側のコーナーには末端面取り角２２が形成
されてもよい。
【００４２】
図５は、別の実施例による口腔クリーニング用のクリーニングサックの正面構造模式図を
示しており、図示したとおり、本発明のクリーニングサックは、２本の指又はそれよりも
広い器物により操作・使用されてもよく、図６は、図５に示される口腔クリーニング用の
クリーニングサックの使用準備状態の模式図を示す。図５−６から分かるように、クリー
ニングサックの幅が大きくなるため、２本の根が挿入された場合、指の長さの相違により
シワ領域が発生し、シワ領域によるシャープな角により口腔を刺激することを回避するた
めに、本実施例のクリーニングサックでは、人間工学によるデザインに従って、前記クリ
ーニングサックのヘッド部１３では、操作されやすい作動位置に対応する一方側の面取り
角を他方側の面取り角より大きくすることにより、クリーニングサックのサック本体１が
指又は器具の表面により密着し、製品の使用体験が向上する。たとえば、使用者が右手の
人差し指及び中指を図５−６に示されるクリーニングサックに挿入するとすれば、図にお
けるクリーニングサックのヘッド部１３の左側は、操作されやすい作動位置の一方側とな
り、この側では摩擦してクリーニング操作を行うときに力を受けやすく、より柔軟に操作
することができる。通常、人差し指が中指よりも短いため、操作されやすい作動位置の一
方側のクリーニングサックのヘッド部１３の面取り角を大きく設定すると、人差し指によ
り密着させ、対応する人差し指の一方側におけるコーナーのシワ領域をなくすことができ
、シワ領域の集まりにより硬いシャープな角部が発生して口腔を刺激することがなく、ユ
ーザがより簡便に使用でき、使用体験が向上する。勿論、当業者が理解できるように、消
費者それぞれのニーズに応じて、たとえば左利きの消費者の場合、本発明のクリーニング
サックのヘッド部１３の、操作されやすい作動位置の一方側の面取り角を図５−６に示さ
れる方向と反対するようにしてもよい。
【００４３】
さらに、図７は、さらなる実施例による口腔クリーニング用のクリーニングサックの構造
模式図を示し、図８は、図７に示される口腔クリーニング用のクリーニングサックの使用
準備状態の模式図であり、図９は、図７に示される口腔クリーニング用のクリーニングサ
ックの使用状態の模式図であり、図示したとおり、本実施例のクリーニングサックの握持
部２には、挿入指を補助的に固定するための開口２１が設けられ、使用するときに、親指
を開口２１に挿入することで握持部２を固定し、それによりクリーニングサックが抜けな
いようにする。前記開口２１は、図示するように、クリーニングサックのヘッド部の縁部
に平行するように配置されてもよい。或いは、開口２１は、クリーニングサックのヘッド
部の縁部に垂直に配置されてもよい（図示せず）。或いは、使用体験に応じて、開口２１
は、ほかの形状の孔としてもよく、その方向については任意に設定してもよく、指又は他
の固定物を容易に挿入して固定できればよい。
【００４４】
また、使用するときにクリーニングサックが水分で浸潤されているので、クリーニングサ
ックのサック本体１の作動層１１及びサック層１２は、液体の表面張力の作用により密着
して、サック本体１を容易に開いて指又は器具を挿入口２０からサック本体１に挿入する
ことが困難になりやすく、このような問題を解決するために、本発明は、指又は器具を挿
入しやくする複数の技術案を提案しており、それぞれは、図１０−１５に示され、図１０
−１５には、本発明のクリーニングサックのさまざまなタイプの挿入を容易にする構造模
式図が順次示されている。
【００４５】
具体的には、図１０−１５では、本発明は、クリーニングサックのサック層１２に対して
さまざまな改良を行い、その中でも、サック層１２は、クリーニングサックのヘッド部１
３に対向する挿入辺１２１を有し、挿入辺１２１は、挿入口２０の開口部の縁部となり、
挿入辺１２１には、挿入を容易にする挿入構造が設けられる。
【００４６】
図１０及び１１のそれぞれに示されるように、前記挿入構造は、挿入辺１２１がヘッド部
１３に対向又は反対の弧状辺であり、弧状辺の長さが直辺よりも長いため、より容易に折
り曲げられ、したがって、操作するときには弧状辺が直辺よりも容易に展開し、さらに容
易に挿入できる。
【００４７】
図１２に示されるように、前記挿入構造は、挿入辺１２１から延出している引き辺１３０
であり、使用するときにサック層１２を容易に引き開くことができる。図１２に示される
引き辺１３０は、狭い引き辺（図１２参照）であってもよいし、挿入辺１２１の長手方向
全体に伸びている広い引き辺（図示せず）であってもよい。該引き辺１３０は、サック層
１２全体が展開したものであってもよく、挿入辺１２１に貼り付けられて容易に引き上が
る引き辺であってもよい。若しくは、該引き辺１３０は、一本の細いラインとされてもよ
く、サック層１２全体が延びてなる細いラインであってもよいし、挿入辺１２１に貼り付
けられて容易に引き上がる細いラインであってもよい。
【００４８】
図１３に示されるように、前記挿入構造は、挿入辺１２１の中央部に形成された切り欠き
１４０であり、切り欠き１４０の形態により挿入辺１２１の線形構造の表面張力が破壊さ
れて、密着力が低下し、それによって、挿入操作がより順調に実施できるようになる。
【００４９】
図１４−１５に示されるように、前記挿入構造は、ヘッド部１３に対向又は反対の弧状辺
であり、また、前記弧状辺の中央部には、切り欠き１４０を有する。即ち、図１４及び１
５のそれぞれに示される実施例は、図１０及び１１を基礎にして、図１３の切り欠き１４
０を追加した改良構造であり、それによって、挿入効果がより良好になる。
【００５０】
さらに、本発明は、前述各種実施例に基づくクリーニングサックのらなる最適化変形形態
をさらに提供し、製品の快適さ及び使用性をさらに向上させ、製品のコストをさらに低下
させることができる。
【００５１】
たとえば、図１６は、本発明の別の特定実施例による口腔クリーニング用のクリーニング
サックの加工模式図を示す。図１６から分かるように、本実施例のクリーニングサックは
、１枚の織物を折り畳んで切断してなるものであってもよく（握持部２は、作動層１１に
連続して延設されている場合）、即ち、本実施例のクリーニングサックの作動層１１及び
サック層１２は、同一の織物を折り畳んでなり（この場合、握持部２及び作動層１１は、
同一のシート状織物から構成されてもよく、個別の構造を接続したものであってもよい）
、作動層１１及びサック層１２は、クリーニングサックの上端に継ぎ目のないヘッド部１
３を形成し、クリーニングサックの両側に接合シーム３０のある第１側辺１４及び第２側
辺１５を形成する。第１側辺１４及び第２側辺１５は、作動層１１とサック層１２を積層
してなり、積層後、たとえば超音波粘着のような方式により接合シーム３０（図の点線に
示される）が形成される。
【００５２】
即ち、図１６に示されるように、クリーニングサックのサック本体１は、２層構造であり
、それぞれ作動層１１及びサック層１２であり、一般的な複合方式では、２層の個別の不
織布を上下に置いて、次に超音波で粘着し、次にダイカットする。本実施例のクリーニン
グサックの加工方式では、１枚の不織布を折り畳んだものからサック本体１の２層構造を
それぞれ形成し、それによって、２層の布を個別に形成するステップを省略し、一層の不
織布を簡単に折り畳むことで２層布とし、そして、ヘッド部の結合部位のダイカットによ
る材料の浪費を回避し（本実施例では、ヘッド部に継ぎ目がないため、余分な部分を切り
落とすことが必要であり、ダイカット操作が不要であるため、材料の浪費がない）、プロ
セスがシンプルで確実であり、生産性及び生産効率を大幅に向上させることができ、また
、中間で折り畳むような方式を採用することによって、クリーニングサックのヘッド部１
３を超音波で粘着して定型する必要がなくなり、加工ロスを減少させるとともに、超音波
による熱粘着プロセスにより上端の隅部が硬いという状況を確実に回避し、隅部による口
腔の各部への刺激が避けられ、ユーザの使用体験が良好である。
【００５３】
図１７は、本発明のまた別の特定実施例による口腔クリーニング用のクリーニングサック
の包装状態模式図を示し、図示するように、本発明のクリーニングサックは、包装状態で
は、握持部２が折り畳まれて作動層１１を覆ってその表面を保護することができる。クリ
ーニングサックの作動層１１が口腔の器官に接触するため、輸送や保存の時に、細菌汚染
を避けるようにその表面を保護する必要がある。通常、付加の保護膜、離型紙などを用い
て保護するが、コストを増加し、生産効率もそれにより低下する。本実施例では、生産さ
れたものを包装するにあたって、握持部２を反転して折り畳んで作動層１１を覆うことで
保護すればよく、このため、保護膜又は離型紙を省略することができ、製品の安全性や衛
生性を大幅に向上させる。ユーザは、購入した本発明のクリーニングサックを使用した状
態では、握持部２が作動層１１を覆った状態から展開して指又は器具から抜けないように
クリーニングサックを固定するように操作できる。そして、開くときに、作動層１１は、
指やほかの外界に接触しないため、細菌汚染の確立を低下させる。
【００５４】
本実施例の製品構成では、握持部２は、前述の握持固定機能を有するだけでなく、折り畳
まれて作動層１１を覆ってその表面を保護することもでき、１つの構造に２種の異なる機
能を持たせ、それは、従来技術には記載されておらず、当業者にとって明らかなものでは
なく、本発明の進歩性を具備した突出した特徴の１つでる。
【００５５】
また、前述握持部２の末端の両側のコーナーに末端面取り角２２が形成されている実施例
に基づき、クリーニングサックのヘッド部１３の両側のコーナーに面取り角が形成される
ため、握持部２の末端の両側のコーナーには、対応するクリーニングサックのヘッド部１
３の対応する側の面取り角と完全に同じ末端面取り角２２が形成される場合、握持部２を
折り畳んで作動層１１を覆うことが必要であるときに（本出願の別のクリーニングサック
の構造模式図を示す図１８参照）、末端面取り角２２は、ヘッド部１３の両側の面取り角
と重なり、包装するときに突出部位とならず、その結果、突出部位にシワが発生してユー
ザによる正常な使用の邪魔となることを回避し、したがって、外観性を確保することに加
えて、ユーザの使用体験をさらに向上させる。
【００５６】
当業者が理解できるように、本発明を複数の実施例の形態で説明したが、それぞれの実施
例は１つの独立した技術案だけを含むものではない。明細書においてこのように説明する
のは、明瞭さのために過ぎず、当業者であれば、明細書を全体として理解し、各実施例に
係る技術案を、互いに組み合わせて異なる実施例にするような形態とすることができるよ
うに、本発明の特許範囲を理解すべきである。
【００５７】
以上は、本発明の例示的な特定実施形態に過ぎず、本発明の範囲を限定するものではない
。当業者であれば、本発明の構想及び原則を逸脱することなく行われる同等変化、修正及
び組み合わせは、すべて本発明の特許範囲に属する。
【図１】
2021500195.tif 000003
【図２】
2021500195.tif 000004
【図３】
2021500195.tif 000005
【図４】
2021500195.tif 000006
【図５】
2021500195.tif 000007
【図６】
2021500195.tif 000008
【図７】
2021500195.tif 000009
【図８】
2021500195.tif 000010
【図９】
2021500195.tif 000011
【図１０】
2021500195.tif 000012
【図１１】
2021500195.tif 000013
【図１２】
2021500195.tif 000014
【図１３】
2021500195.tif 000015
【図１４】
2021500195.tif 000016
【図１５】
2021500195.tif 000017
【図１６】
2021500195.tif 000018
【図１７】
2021500195.tif 000019
【図１８】
2021500195.tif 000020
【手続補正書】
【提出日】令和2年5月9日(2020.5.9)
【手続補正１】
【補正対象書類名】特許請求の範囲
【補正対象項目名】全文
【補正方法】変更
【補正の内容】
【特許請求の範囲】
【請求項１】
指又は器具の外側に装着されて口腔の内部をクリーニングする口腔クリーニング用のクリ
ーニングサックであって、
扁平な層状構造であり、多層シート状織物からなるカバー部（１）と、単層シート状織物
からなる握持部（２）とを備え、前記カバー部（１）は指又は器物の外側に装着され、前
記握持部（２）は使用する際に手で手のひらに握られ、前記多層シート状織物からなるカ
バー部（１）は作動層（１１）とカバー層（１２）を備え、前記作動層（１１）とカバー
層（１２）は、前記クリーニングサックの上端にヘッド部（１３）を形成し、前記クリー
ニングサックの両側に第１側辺（１４）と第２側辺（１５）を形成し、前記作動層（１１
）及びカバー層（１２）は、それぞれ前記ヘッド部（１３）及び前記第１側辺（１４）と
第２側辺（１５）で接続されて挿入口（２０）を有するサック状構造となり、前記握持部
（２）は前記作動層（１１）に連続して延設されており、包装状態では、前記握持部（２
）は、折り畳まれて前記作動層（１１）を覆ってその表面を保護し、使用状態では、前記
握持部（２）は、前記作動層（１１）を覆った状態から展開して指又は器具から離脱しな
いように前記クリーニングサックを固定することができることを特徴とする口腔クリーニ
ング用のクリーニングサック。
【請求項２】
前記握持部（２）には、固定を容易にする開口（２１）が設けられることを特徴とする請
求項１に記載のクリーニングサック。
【請求項３】
前記カバー層（１２）は、前記クリーニングサックのヘッド部（１３）に対向する挿入辺
（１２１）を有し、前記挿入辺（１２１）には、挿入されやすい挿入構造が設けられるこ
とを特徴とする請求項１−２のいずれか１項に記載のクリーニングサック。
【請求項４】
前記クリーニングサックのヘッド部（１３）の両側のいずれのコーナーにも面取り角が形
成され、前記クリーニングサックのヘッド部（１３）の、操作されやすい作動位置に対応
する一方側の面取り角が、他方側の面取り角よりも大きいことを特徴とする請求項１−３
のいずれか１項に記載のクリーニングサック。
【請求項５】
前記握持部（２）の末端の両側のコーナーには、対応する前記クリーニングサックのヘッ
ド部（１３）の対応する側の面取り角と完全に同じ末端面取り角（２２）が形成されてい
ることを特徴とする請求項４に記載のクリーニングサック。
【請求項６】
指又は器具の外側に装着されて口腔の内部をクリーニングする口腔クリーニング用のクリ
ーニングサックであって、
扁平な層状構造であり、多層シート状織物からなるカバー部（１）と単層シート状織物か
らなる握持部（２）とを備え、前記カバー部（１）は、指又は器物の外側に装着され、前
記握持部（２）は、使用する際に手で手のひらに握られ、前記多層シート状織物からなる
カバー部（１）は、作動層（１１）とカバー層（１２）を備え、前記作動層（１１）及び
カバー層（１２）は、同一の織物を折り畳んでなり、前記作動層（１１）及びカバー層（
１２）は、前記クリーニングサックの上端に継ぎ目のないヘッド部（１３）を形成し、前
記クリーニングサックの両側に継ぎ目（３０）のある第１側辺（１４）及び第２側辺（１
５）を形成し、前記作動層（１１）及びカバー層（１２）は、それぞれ前記ヘッド部（１
３）及び前記第１側辺（１４）と第２側辺（１５）で接続されて挿入口（２０）を有する
サック状構造となり、前記握持部（２）は、前記作動層（１１）に連続して延設されてい
ることを特徴とする口腔クリーニング用のクリーニングサック。
【請求項７】
包装状態では、前記握持部（２）は、折り畳まれて前記作動層（１１）に覆われてその表
面を保護し、使用状態では、前記握持部（２）は、前記作動層（１１）を覆った状態から
展開して指又は器具から離脱しないように前記クリーニングサックを固定する、ことを特
徴とする請求項６に記載のクリーニングサック。
【請求項８】
前記握持部（２）には、固定を容易にする開口（２１）が設けられることを特徴とする請
求項６−７のいずれか１項に記載のクリーニングサック。
【請求項９】
前記カバー層（１２）は、前記クリーニングサックのヘッド部（１３）に対向する挿入辺
（１２１）を有し、前記挿入辺（１２１）には、挿入されやすい挿入構造が設けられるこ
とを特徴とする請求項６−８のいずれか１項に記載のクリーニングサック。
【請求項１０】
前記クリーニングサックのヘッド部（１３）の両側のいずれのコーナーにも面取り角が形
成され、前記クリーニングサックのヘッド部（１３）の、操作されやすい作動位置に対応
する一方側の面取り角が、他方側の面取り角よりも大きいことを特徴とする請求項６−９
のいずれか１項に記載のクリーニングサック。
【請求項１１】
前記握持部（２）の末端の両側のコーナーには、対応する前記クリーニングサックのヘッ
ド部（１３）の対応する側の面取り角と完全に同じ末端面取り角（２２）が形成されてい
ることを特徴とする請求項１０に記載のクリーニングサック。
【請求項１２】
指又は器具の外側に装着されて口腔の内部をクリーニングする口腔クリーニング用のクリ
ーニングサックであって、
扁平な層状構造であり、多層シート状織物からなるカバー部（１）と単層シート状織物か
らなる握持部（２）とを備え、前記カバー部（１）は指又は器物の外側に装着され、前記
握持部（２）は使用するときに手で手のひらに握られ、前記多層シート状織物からなるカ
バー部（１）は作動層（１１）とカバー層（１２）を備え、前記作動層（１１）及びカバ
ー層（１２）は、前記クリーニングサックの上端にヘッド部（１３）を形成し、前記クリ
ーニングサックの両側に第１側辺（１４）及び第２側辺（１５）を形成し、前記作動層（
１１）及びカバー層（１２）は、それぞれ前記ヘッド部（１３）及び前記第１側辺（１４
）と第２側辺（１５）で接続されて挿入口（２０）を有するサック状構造となり、
ポリ乳酸繊維とビスコース繊維を混紡した不織布である分解性不織布を超音波で粘着して
なることを特徴とする口腔クリーニング用のクリーニングサック。
【請求項１３】
前記分解性不織布を構成するポリ乳酸繊維とビスコース繊維との質量比の範囲が、（８０
〜２０）：（２０〜８０）であることを特徴とする請求項１２に記載のクリーニングサッ
ク。
【請求項１４】
前記分解性不織布の重量が、好ましくは、４０−１５０ｇ／ｍ２であることを特徴とする
請求項１２に記載のクリーニングサック。
【請求項１５】
前記不織布が、１０−３０メッシュであることを特徴とする請求項１２に記載のクリーニ
ングサック。
【請求項１６】
前記不織布のウェブ形成方式には、セミクロス又はフルクロスラッピング方式が使用され
ることを特徴とする請求項１２に記載のクリーニングサック。
【国際調査報告】
2021500195.tif 000021
2021500195.tif 000022
2021500195.tif 000023
2021500195.tif 000024